(57)【特許請求の範囲】
【請求項１】
トウと、該トウの反対側のヒールと、ソール部と、該ソール部の反対側のトップ部と、前方を向いて露出した打面と、該打面の反対側の、後方を向いて露出した背面部とを有するゴルフクラブヘッドであって、
ａ）前記打面に形成された窪みを有し、該窪みが、前記背面部から離れた底面と、前記底面と前記打面との間に延びる側壁面とを備え、
ｂ）前記窪みに配置されたインサートを有し、該インサートが、
周辺溝を形成するように前記側壁面から離された周辺端部と、
前記周辺溝に配置された第１の振動減衰材料と、
第１の部分及び第２の部分とを備え、前記第１の部分は、フランジであり、前記第２の部分から半径方向外方に延び、前記側壁面の一部と接触しており、前記第２の部分が前記周辺端部を含み、前記フランジが少なくとも一つのノッチを形成し、
ｃ）前記背面部から前記窪みに向かって延びる複数の開口と、前記開口のうちの少なくとも一つに配置された第２の振動減衰材料とを有する、
ゴルフクラブヘッド。
【請求項２】
トウと、該トウの反対側のヒールと、ソール部と、該ソール部の反対側のトップ部と、前方を向いて露出した打面と、該打面の反対側の、後方を向いて露出した背面部とを有するゴルフクラブヘッドであって、
ａ）前記打面に形成された窪みを有し、該窪みが、前記背面部から離れた底面と、前記底面と前記打面との間に延びる側壁面とを備え、
ｂ）前記窪みに配置されたインサートを有し、該インサートが、
周辺溝を形成するように前記側壁面から離された周辺端部と、
前記周辺溝に配置された第１の振動減衰材料と、
背面とを備え、該背面が、前記窪みの前記底面と接触している前記背面の少なくとも一部を有し、
ｃ）前記背面部から前記窪みに向かって延びる複数の開口と、前記開口のうちの少なくとも一つに配置された第２の振動減衰材料とを有し、前記第１の振動減衰材料が前記第２の振動減衰材料と連通している、
ゴルフクラブヘッド。
【請求項３】
トウと、該トウの反対側のヒールと、ソール部と、該ソール部の反対側のトップ部と、前方を向いて露出した打面と、該打面の反対側の、後方を向いて露出した背面部とを有するゴルフクラブヘッドであって、
ａ）前記打面に形成された窪みを有し、該窪みが、前記背面部から離れた底面と、前記底面と前記打面との間に延びる側壁面とを備え、
ｂ）前記窪みに配置されたインサートを有し、該インサートが、
前記打面の第１の部分を形成し、
前記窪みの前記側壁面と接触する第１の部分と、
背面とを備え、該背面は、前記窪みの前記底面から離れてギャップを形成し、
ｃ）前記打面から前記ギャップを通って前記背面部まで連続的に延びる振動減衰材料を有し、該振動減衰材料が、前記打面の第２の部分を形成する、
ゴルフクラブヘッド。
【請求項４】
前記背面部から前記窪みに延びる複数の開口を有し、該開口のうちの少なくとも一つに前記振動減衰材料が配置される、請求項３記載のゴルフクラブヘッド。
【請求項５】
前記窪みが、前記背面部から離れた底面と、前記底面と前記打面との間に延びる側壁面とを備え、
前記インサートが周辺溝を形成するように前記側壁面から離された周辺端部を備え、
該周辺端部と、前記ギャップと、前記少なくとも一つの開口とが、流体連通して、これらを前記振動減衰材料が通って延びる、請求項４記載のゴルフクラブヘッド。
【請求項６】
前記周辺溝の前記振動減衰材料が、前記振動減衰材料の第１の部分であり、
前記少なくとも一つの開口の前記振動減衰材料が前記振動減衰材料の第２の部分であり、
前記ギャップの前記振動減衰材料が前記振動減衰材料の第３の部分であり、
前記第１の部分と前記第２の部分とが同じである、
請求項５記載のゴルフクラブヘッド。
【請求項７】
前記第２の振動減衰材料と前記第３の振動減衰材料とが同じである、請求項５記載のゴルフクラブヘッド。
【請求項８】
トウと、該トウの反対側のヒールと、ソール部と、該ソール部の反対側のトップ部と、前方を向いて露出した打面と、該打面の反対側の、後方を向いて露出した背面部とを有するゴルフクラブヘッドであって、
ａ）前記打面に形成された窪みを有し、該窪みが、前記背面部から離れた底面と、前記底面と前記打面との間に延びる側壁面とを備え、
ｂ）前記窪みに配置されたインサートを有し、該インサートが、
周辺溝を形成するように前記側壁面から離された周辺端部と、
前記周辺溝に配置された第１の振動減衰材料と、
背面とを備え、該背面が、前記窪みの前記底面と接触している前記背面の少なくとも一部を有し、
ｃ）前記背面部から前記窪みに向かって延びる複数の開口と、前記開口のうちの少なくとも一つに配置された第２の振動減衰材料とを有し、
ｄ）前記インサートと前記背面部分とを結合するように前記開口の少なくとも一つを通って延びる締結手段を有する、
ゴルフクラブヘッド。
【請求項９】
前記インサートの前記背面が、前記複数の開口と相補するように整合された複数のキャビティを有する、請求項８記載のゴルフクラブヘッド。
【請求項１０】
トウと、該トウの反対側のヒールと、ソール部と、該ソール部の反対側のトップ部と、前方を向いて露出した打面と、該打面の反対側の、後方を向いて露出した背面部とを有するゴルフクラブヘッドであって、
ａ）前記打面に形成された窪みを有し、該窪みが、前記背面部から離れた底面と、前記底面と前記打面との間に延びる側壁面とを備え、
ｂ）前記打面に配置された金属製のインサートを有し、該インサートが、前記打面と面一の露出した前面と、前記クラブヘッドと係合する背面とを備え、前記背面の中央部が前記くぼみの前記底面と接触しており、
ｃ）前記背面部に延びる複数の開口と、
ｄ）前記開口の少なくとも一つに配置された振動減衰材料とを有し、
ｅ）前記インサートと振動減衰材料が異なる材料のものである、
ゴルフクラブヘッド。
【請求項１１】
トウと、該トウの反対側のヒールと、ソール部と、該ソール部の反対側のトップ部と、前方を向いて露出した打面と、該打面の反対側の、後方を向いて露出した背面部とを有するゴルフクラブヘッドであって、
ａ）前記打面に形成された窪みと、
ｂ）前記窪みに配置されたインサートとを有し、該インサートが、前記打面の一部を形成し、背面を備え、
ｃ）前記打面から前記背面部まで連続的に延びる振動減衰手段を有し、該振動減衰手段が前記打面の第２の部分を形成する、
ゴルフクラブヘッド。
【請求項１２】
トウと、該トウの反対側のヒールと、ソール部と、該ソール部の反対側のトップ部と、前方を向いて露出した打面と、該打面の反対側の、後方を向いて露出した背面部とを有するゴルフクラブヘッドであって、
ａ）前記打面に形成された窪みを有し、該窪みが、前記背面部から離れた位置にある底面を備え、
ｂ）前記窪みに配置されたインサートを有し、該インサートが、第１の部分と、第２の部分と、背面とを備え、前記第１の部分は、前記打面から間隔を隔てられ、前記打面と前記窪みの前記底面との間に配置された前面と、前記インサートの前記前面から前記背面に延びる第１の通路とを有し、前記第２の部分は前記打面の一部を形成し、
ｃ）前記通路に配置された振動減衰材料を有する、
ゴルフクラブヘッド。
【請求項１３】
前記窪みが前記底面と前記打面との間に延びる側壁を有し、前記第２の部分が、前記打面に周辺溝を形成するように、前記側壁面から離れた位置にある周辺端を有し、前記振動減衰材料が前記溝に配置されている、請求項１２記載のゴルフクラブヘッド。
【請求項１４】
前記背面部から前記底面に延びる第１の開口を有し、前記振動減衰材料が前記第１の開口に配置され、前記振動減衰材料が、前記溝、前記第１の通路及び前記第１の開口を通って、前記打面から前記背面部まで連続している、請求項１３記載のゴルフクラブヘッド。
【請求項１５】
前記第１の通路が、前記第１の開口と整合されていない第２の開口を有する、請求項１４記載のゴルフクラブヘッド。
【請求項１６】
前記第１の通路が、前記第１の開口と少なくとも部分的に整合された第２の開口を有する、請求項１４記載のゴルフクラブヘッド。
【請求項１７】
前記第１の通路が、前記第１の開口と完全に整合された第２の開口を有する、請求項１４記載のゴルフクラブヘッド。
【請求項１８】
前記底面に接触する背面を有し、前記通路が前記第２の開口から前記第１の開口に延びる切取り部を前記背面に有する、請求項１４記載のゴルフクラブヘッド。
【請求項１９】
前記インサートの前記背面が、前記第１の開口と相補であるように整合されたキャビティを有し、前記切取り部が前記第２の開口から前記キャビティに延び、前記振動減衰材料が前記インサートキャビティ内に延びる、請求項１８記載のゴルフクラブヘッド。
【請求項２０】
前記第１の部分が前記第２の部分から半径方向外方に延び、前記第１の部分が前記側壁面の一部と接触している、請求項１２記載のゴルフクラブヘッド。
【請求項２１】
前記背面部から前記底面に延びる第１の複数の開口を有し、前記第１の通路が、前記溝と前記第１の複数の開口の一群との間を流体連通させるためのものであり、前記振動減衰材料が前記溝、前記第１の複数の開口及び前記第１の通路に配置され、前記振動減衰材料が前記打面から前記背面部まで連続している、請求項１２記載のゴルフクラブヘッド。
【請求項２２】
前記通路が、前記複数の開口と整合されてない複数の第２の開口を有する、請求項２１記載のゴルフクラブヘッド。
【請求項２３】
前記背面が前記底面と接触し、前記通路が前記第２の複数の開口から前記第１の複数の開口の一群に延びる切取り部を前記背面に有する、請求項２２記載のゴルフクラブヘッド。
【請求項２４】
前記インサートの前記背面が前記第１の複数の開口と相補であるように整合された複数のキャビティを有し、前記切取り部が前記第２の複数の開口から前記キャビティの一群に延び、前記振動減衰材料が前記インサートキャビティに延びる、請求項２２記載のゴルフクラブヘッド。
【請求項２５】
前記一群のキャビティのそれぞれが前記切取り部を形成する端ぐり部を有する、請求項２４記載のゴルフクラブヘッド。
【請求項２６】
前記インサート背面が、
ａ）前記インサートキャビティのそれぞれを連結する連続した第２の通路と、
ｂ）前記連続した第２の通路を通って延びる前記振動減衰材料とを更に有する、
請求項２４記載のゴルフクラブヘッド。
【請求項２７】
前記第１の部分は、前記第２の部分の周りに延びる周辺フランジであり、前記第２の複数の開口のそれぞれが、前記フランジ前面から前記背面に延びる、請求項２５記載のゴルフクラブヘッド。
【請求項２８】
前記第２の複数の開口は、前記インサートキャビティの前記端ぐり部によって形成されている、請求項２７記載のゴルフクラブヘッド。
【請求項２９】
前記インサート背面は、
ａ）前記インサートキャビティのそれぞれを連結する連続的な通路と、
ｂ）該連続的な通路の中を通って延びる前記振動減衰材料とを有する、
請求項２８記載のゴルフクラブヘッド。
【請求項３０】
トウと、該トウの反対側のヒールと、ソール部と、該ソール部の反対側のトップ部と、前方を向いて露出した打面と、該打面の反対側の、後方を向いて露出した背面部とを有するゴルフクラブヘッドであって、
ａ）前記打面に形成された窪みを有し、該窪みが前記背面部から間隔を隔てた底面を備え、
ｂ）前記窪みに配置されたインサートを有し、該インサートが背面の第１の部分を備え、該第１の部分が、前記第１の部分と前記窪みの底面との間にギャップを構成するように、前記窪みの前記底面から間隔を隔てられ、前記インサートが、前記窪みの底面と接触する背面の第２の部分を備え、
ｃ）前記ギャップに配置された振動減衰材料を有し、前記窪みは、前記底面と前記打面との間に延びる側壁面を有し、前記第２の部分は、前記打面に周辺溝を形成するように、前記側壁面から間隔を隔てられた周辺端を備え、前記振動減衰材料が前記溝に配置され、
ｄ）前記背面部から前記底面に延びる第１の開口を有し、前記振動減衰材料が前記第１の開口内に配置され、前記振動減衰材料が、前記打面から前記背面部まで連続している、
ゴルフクラブヘッド。
【請求項３１】
前記インサートは半径方向に延びた複数の周辺突起を備え、該突起は前記背面の第２の部分を有す、請求項３０記載のゴルフクラブヘッド。
【請求項３２】
前記インサートは、前記背面の前記第１の部分から延びる少なくとも一つの突起を備え、該突起は、自由端に前記背面の前記第２の部分を有する、請求項３０記載のゴルフクラブヘッド。
【発明の詳細な説明】
【０００１】
本発明は、１９９８年１２月２３日に出願された同時係属中の出願第09/220,083号の一部継続出願であって、且つ、１９９６年９月６日に出願された同時係属中の出願第08/711,337号の一部継続出願である。この引用によって、前記出願に開示された内容はすべてこの明細書に組み入れられる。
【０００２】
【発明の属する技術分野】
本発明はゴルフクラブに係り、より具体的には、クラブの打面上にインサートを有するゴルフクラブに関する。
【０００３】
【発明の背景】
ゴルフクラブは、長年にわたり、クラブ、特に（限定するわけではないが）グリーン上及びその周辺で使用されるクラブの「タッチと感覚」を改善してきた。クラブのタッチと感覚を改善する一つの方法は、ゴルフクラブのグリップ、シャフト又は打面のうちのいずれかを変更するものである。例えば、クラブヘッドへの変更には、クラブの打面に置かれるインサートが含まれる。このインサートは、クラブがゴルフボールと当たるインパクトに影響を与えてインパクトの後にゴルファに与えるフィードバックを改善する。
【０００４】
本発明は、ゴルフクラブヘッドの打面を変更する結果として、より良いタッチと感覚をもった改良ゴルフクラブヘッドを提供しようとするものである。
【０００５】
【発明の概要】
本発明の一つの目的は、グリーン上及びその周辺で、改良された「タッチと感覚」を有するゴルフクラブを提供することである。
【０００６】
本発明のもう一つの目的は、打面でのインパクトで、ゴルフボールの反撥に影響する打面上のインサートを有するゴルフクラブを提供することである。
【０００７】
本発明のもう一つの目的は、ゴルフクラブでゴルフボールを打ったときの振動を減衰させ、ゴルファへのフィードバックを改善するゴルフクラブを提供することである。
【０００８】
本発明によれば、ゴルフクラブは、打面と、反対側の背面部とを有する。打面は窪みを有し、窪みは底面と側壁面とを有する。クラブヘッドは更に、前記窪みの中に配置されたインサートを有する。インサートは、前記側壁面から距離をおいた周辺外端を有してそれによって周辺溝を形成する。クラブの感覚を変化させるために、溝の中に振動減衰材料が配置される。
【０００９】
一実施形態によれば、インサートは第１の部分と第２の部分とをさらに有し、第１の部分は、第２の部分から半径方向外側に向かって延びている。インサートが窪みの中にあるときに、第１の部分は側壁の一部と接触しており、第２の部分は周辺端を有する。
【００１０】
他の実施形態では、クラブヘッドは、打面の反対側の背面と、クラブヘッドの背面の中に、インサートに向かって延びている複数の開口を有する。少なくとも一つの開口は、振動減衰材料で充填されている。
【００１１】
更に他の実施形態では、インサートは、溝内の振動減衰材料が、開口内の振動減衰材料と連通し、それと連続するように変更されている。他の実施形態では、振動減衰材料はインサート内を貫通して延びている。
【００１２】
本発明の他の実施形態によれば、ゴルフクラブは、打面及びその反対側の背面部とを有する。打面上に、その打面と同一面になるように金属製のインサートが配置されている。クラブヘッドの背面の中に、インサートに向かって複数の開口が延びている。少なくとも一つの開口は、振動減衰手段で充填されている。ここで、インサートと振動減衰手段とは異なる材料である。
【００１３】
本発明の他の実施形態によれば、ゴルフクラブは、打面と、これと反対側の背面部とを有する。打面は、底面及び側壁面を持った窪みを有する。クラブヘッドは、窪み内に配置されたインサートを更に有する。このインサートは、第１の部分と、第２の部分と、背面とを有する。第１の部分は、打面から離れた位置の前面と、インサートの上面から背面に延びる第１の通路を有する。第２の部分は、打面の一部を形成する。振動減衰材料が第１の通路内に配置されている。
【００１４】
インサートとクラブヘッドの構造は、クラブ内の振動減衰材料の量を変化させ、クラブの感覚を変化させる。
【００１５】
【発明の実施の形態】
本発明によれば、図１及び２において、ゴルフクラブ１０は、シャフト１２（図では一部分だけを示す）と、これに取り付けられたクラブヘッド１４を有する。図１にはパタータイプのクラブヘッドを示すが、後述するように、本発明をアイアンタイプのクラブヘッドに利用することもできる。
【００１６】
クラブヘッド１４は、シャフト１２を受容するホーゼル(hosel)１６を有し、クラブヘッド１４のホーゼル側端部にヒール（かかと部）１８を有し、ヒール１８の反対側にトウ（爪先部）２０を有する。クラブヘッド１４は更に、ソール（底）部２６と、反対側のトップ（上）部２８とを有する。ヒール１４とトウ２０との間には打面２２が延びていて、この打面２２は、ゴルフクラブ１０とゴルフボール（図示せず）の間のインパクトのときにゴルフボールと接触する面である。打面２２は、「スイートスポット」即ちトウからヒール方向の重心を有し、これはインサート２４で覆われている。インサート２４は、クラブヘッドの他の部分とは異なる材料からできている。好ましい実施形態では、インサートはテルル銅合金からできている。この合金は比較的柔らかい合金であって、クラブのタッチと感覚が改善される。好ましい実施形態では、テルル銅合金は、最小で９９．４％の銅と、最大で０．００４〜０．０１２ｐｐｍのリンと、最大で０．４〜０．７ｐｐｍのテルルを有し、約８０ＨＢの硬さを有する。
【００１７】
図２に示すように、クラブヘッド１４は基本的に平坦な背面部３６を有し、背面部３６は、ヒール１８とトウ２０の間の一部に延び、トップ部２８とソール部２６の間の一部に延びている。背面部３６は複数の開口３２を有し、開口３２は、好ましくは互いに等間隔で配置され、背面部３６の輪郭(contour)に沿っており、打面２２にほぼ垂直である。
【００１８】
図３に示すように、開口３２は、背面３６からインサート２４に向かって延びている。好ましくは、６個以上の開口が使用され、更に好ましくは２１個以上の開口があり、最も好ましくは３２個の開口がある。各開口３２の中に、振動減衰手段、例えば、変形可能な弾性材料３４が配置されている。後述の好ましい実施形態では、前記弾性材料は、ニューヨーク州ウォータフォード市のゼネラルエレクトリック社(General Electric Company)から入手可能なストック番号GE281というシリコーン材料である。
【００１９】
図３に示すように、インサート２４は、補完形状にある(complementary)打面窪み４２内に適合して押し込められている。インサート２４と打面窪み４２の間の締りばめは約０．００２〜０．００３インチである。インサート２４は、窪み底面４４と接触して且つそれに隣接する背面４６を有する。これら二つの面の接触によって、インサート４０と窪み底面４４の間の金属同士の接触を生じる。開口３２の大きさと、開口内に配置された弾性材料３４の体積は、組み合わさって、インサート４０と窪み底面４４の間の材料同士の接触の量を減ずる。従って、パターの「タッチと感覚」は、材料同士の接触の量を変えることにより、又、背面３６内に配置された弾性材料の量を比例的に変えることによって、変えることができる。
【００２０】
インサート２４は、クラブヘッド打面２２と軸方向にほぼ同じ位置の打面４０を有する。打面２２及び４０はロフト角θを有し、θは、標準的なロフトのパターでは約４度である。
【００２１】
次に、図２、４、５において、最も外側の４個の開口５０ａ、５０ｂ、５０ｃ、５０ｄは、締結手段を受け入れている。ここに図示する実施形態では、付加的締結手段は、４本のアレン(allen)ヘッド締結具であって、「０」プライマリサイズで、ファイン(Fine)ＵＮＦねじ級８０の、長さ０．２５０インチのもので、符号５８ａ、５８ｂ、５８ｃ、５８ｄで示されている。最も外側の開口５０ａ、５０ｂ、５０ｃ、５０ｄは、背面３６の外側輪郭に沿い、それぞれが、補完する形状の(complementary)クリアランス孔５２ａ、５２ｂ、５２ｃ、５２ｄ及び補完する形状の端ぐり(counterbore)５４ａ、５４ｂ、５４ｃ、５４ｄ（図４には端ぐり５４ａ、５４ｂだけを示す。）を有する。
【００２２】
図５は、組立て前のクラブヘッド１４の展開図である。インサート背面４６は、クリアランス孔５２ａ、５２ｂ、５２ｃ、５２ｄと補完的な４個のねじ付き穴５６ａ、５６ｂ、５６ｃ、５６ｄを有する。インサート２４はフランジ６８を有し、インサート背面４６が挿入後に窪み底面４４と完全に接触するように、アーバ(arbor)プレスがフランジ６８を押すように、インサート２４がアーバプレスによってインサート打面４２内にプレスばめされる。図６に示すように、インサート２４の底が窪み底面４４に当たる。インサート２４の厚さは、打面窪み４２の深さよりも大きいので、インサート２４の底が当たり、しかも、フランジ６８とクラブヘッド１４の間にギャップ７０が存在する。次に、４個の締結具５８ａ５８ｂ、５８ｃ、５８ｄがインサート２４内に締め付けられ、それによって、インサート２４が打面窪み４２の内側に更に接触する。次いで機械切削工程において、打面２２とインサート２４とクラブのロフトが形成されるときに、フランジ６８は削り落とされる。最後に、開口３２内に、そして最も外側の開口５０内に、弾性材料３４が挿入される。背面３６全体をスクイージ（ゴム雑巾；squeegee）で擦って、余分なシリコーンを取り去って、各開口にシリコーンを残し、締結具が背面３６から見えないように、締結具のヘッドを覆うようにする。
【００２３】
図７には、上記実施形態と比べて、すべての開口が端ぐり(counterbore)されている点を除いて本質的に同様の実施形態を示す。この実施形態では、インサート２４'と接触するシリコーン材料３４'の量が減り、このことがクラブのタッチと感覚に影響する。上記実施形態の場合と同様に、クリアランス孔５２'の直径は、約０．０６〜０．０８インチである。
【００２４】
他の一つの実施形態を図８、９に示す。これは、インサート２４'が複数のインサートキャビティ７２を有する点を除いて、上記図３に示した実施形態と類似している。インサートキャビティ７２は、複数の開口３２'と補完する形状に並んでいる。この実施形態は、図３に開示された実施形態に比べて、より顕著な振動減衰特性を示す。弾性材料３４'がインサート背面４６'内にまで延びているからである。
【００２５】
更に他の実施形態が図１０〜１３に示されている。図１０は図８の断面図に類似している。この実施形態は、図８、９に示す実施形態と類似している。但し、図７に示す実施形態と同様にすべての開口が端ぐりされ、インサート背面４６'は、各インサートキャビティ７２'を結合する連続的な通路７４即ちマトリクスを有するという点のみが異なる。前記通路は、１／１６インチボールエンドミルで作られる。連続的通路７４は、図３及び８に開示された実施形態に比べて、より顕著な振動減衰特性を示す。弾性材料３４'がインサート背面４６'内にまで延び、インサート背面４６'の上で比較的大きな面積を有するからである。
【００２６】
図１３は、組み立てられたクラブヘッドを示すもので、開口内に締結具とシリコーン材料がない状態で、通路７４が各開口と並んだ状態を示す。
【００２７】
他の実施形態を図１４に示す。これは、開口３２'が打面窪み４２'の中にまで延びていないという点を除いて、図３に示す実施形態と類似している。この実施形態では、前述の他の実施形態に比べて、振動減衰材料の量が少ない。
【００２８】
図１５、１６は、更に他の実施形態を示す。これは、インサート背面４６'と打面窪み底面４４'との間にギャップ７６が存在するという点を除いて、図３に記載した実施形態と類似している。図１６に示すように、ギャップ７６は、フランジによって、インサート背面の寸法７８に予め決めることができる。このため、インサート２４'が打面窪み４２'内にプレスばめされるときにギャップ寸法が決定される。気泡ゴム等の第２の振動減衰手段をギャップ７６に挿入してもよい。代替例としては、ギャップ７６を弾性材料３４'で充填する。次に、フランジ６８'は、前述のように機械切削によって取り去られる。
【００２９】
図１７〜１９は、更に他の実施形態を示す。これは、ここに示すクラブがアイアンタイプのクラブであるという点を除いて、図１０〜１３に示した実施形態と類似している。この実施形態では、インサート２４'の材料を、ロフトが低いクラブ（２〜４番アイアン）ではチタン等の硬い材料とし、ロフトが中程度のクラブ（５〜７番アイアン）では鋼等の比較的柔らかい材料とし、ロフトが高いクラブ（８番〜ウェッジ）ではテルル銅等の更に柔らかい材料とすべきである。
【００３０】
図２０〜２２は、更に他の実施形態を示す。これは、図１〜５について説明したものと類似している。クラブヘッド１００は、窪み１０４を形成する打面１０２を有する。窪み１０４は、底面１０６と、底面１０６を囲む側壁面とを有する。側壁面は、複数の部分１０７〜１０９を含む。水平の側壁部１０７の対は互いにほぼ平行であって、一般に水平である。鉛直側壁部１０８の対は互いにほぼ平行であって、一般に鉛直である。４個のコーナ側壁部１０９は、隣接する水平側壁部と鉛直側壁部の間に延びて、傾斜面を形成する。
【００３１】
窪み１０４は、インサート１１０及び第１の振動減衰材料１１２ａを受容する。クラブヘッド１００は更に、図２に示したのと同様に、平坦な背面部１１３を有する。背面部１１３は複数の開口１１４ａ〜１１４ｆを形成し、これらの開口は、好ましくは、互いに等間隔であって、背面部１１３の輪郭に沿い、打面１０２に対してほぼ垂直である。開口１１４ａ〜１１４ｆは、背面部１１３から、窪み１０４の底面１０６にまで延びている。好ましくは６個以上の開口を使用し、より好ましくは２１個以上の開口があり、最も好ましくは３２個の開口がある。開口１１４ａ〜１１４ｄはクリアランス孔であり、開口１１４ｅは中央開口であり、他の開口は開口１１４ｆである。
【００３２】
図２１及び２２において、一体的に形成されたインサート１１０は、第１の部分即ちフランジ１１５と、第２の部分即ちプラットフォーム部１１６とを含む。フランジ１１５は、プラットフォーム部１１６から半径方向外側に向かって延びている。インサート１１０は更に背面１１７を有する。
【００３３】
フランジ１１５は、窪み内にちょうど入る大きさになっている。インサート１１０が窪み１０４内に挿入されているとき、背面１１７は、窪み１０４の底面１０６と接触している。更に、フランジ１１５は、底壁１０６及び側壁面部１０７〜１０９に隣接してそれらと接触している。挿入位置において、プラットフォーム部は外側周辺端を有し、この外側周辺端は、側壁面の少なくとも一部から離れており、それにより、プラットフォーム部１１６と側壁面との間に周辺溝１１８が形成される。フランジ１１５は、窪み内でインサートの中心を合わせる。周辺溝１１８はインサートのプラットフォーム部１１６を取り囲む。溝１１８は、図２９の矢印ｗで示す幅を有する。幅ｗは、好ましくは約０．０４０インチである。
【００３４】
第１の振動減衰材料１１２ａは、インサート１１０の周りの溝１１８内に配置される。第１の振動減衰材料１１２ａは、溝１１８をほぼ充填し、クラブヘッド打面１０２及びインサート打面１２１と軸方向にほぼ並ぶ前面１２０を有する。第１の振動減衰材料の厚さは、図２２の矢印Ｄとして与えられる。この厚さは、インサート全体で一様とすることもできるし、変化させることもできる。
【００３５】
図２１において、インサートの背面１１７は、５個のねじ付き孔１２２ａ〜１２２ｅ（想像線で示す）を有する。孔１２０ａ〜１２０ｅはクラブヘッド１００の開口１１４ａ〜１１４ｅと補完する形状である。５本の締結具１２４ａ〜１２４ｅがインサートの孔１２０ａ〜１２０ｅ内に締め込まれる。締結具１２４ａ〜１２４ｅはインサート１１０をクラブヘッドに結合する。パターのロフトの機械切削中に、締結具は、インサートとクラブヘッドの結合を保持する助けとなる。機械切削の後に、中央締結具１２４ｅがインサート孔１２２ｅから取り去られる。中央締結具１２４ｅの目的は、機械切削中に、インサートとクラブヘッドの結合を保持する助けとすることにある。
【００３６】
第２の振動減衰材料１１２ｂが、クラブヘッド１１０の開口１１４ａ〜１１４ｆの少なくとも一つの中に配置される。より好ましくは、第２の振動減衰材料１１２ｂは、開口１１４ａ〜１１４ｆのすべての中に配置される。
【００３７】
好ましい実施形態では、振動減衰材料１１２ａ及び１１２ｂは、変形可能な弾性材料である。最も好ましい実施形態では、弾性材料はシリコン材料である。推奨されるシリコン材料の例としては、ニューヨーク州ウォータフォード市のゼネラルエレクトリック社(General Electric Company)からストック番号GE281として市販されているものがある。
【００３８】
背面部内の第２の振動減衰材料１１２ｂに加えて打面上に第１の振動減衰材料１１ａを用いることによって、図２に示す実施形態に比べて、より顕著な振動減衰が得られる。振動減衰材料１１２ａ及び１１２ｂが、インサート上の、より広い面積を占めるからである。
【００３９】
図２１において、他の実施形態として、インサートの背面１１７は、異なる量の振動減衰材料を収容するように変更してもよい。例えば、図８〜９に関して述べたように、一つの好ましい実施形態では、背面がインサートキャビティ７２を有していてもよい。他の実施形態として、図１０〜１３に関して説明したように、インサート背面が連続的な通路７４を有すことも可能である。更に、開口１１４ａ〜１１４ｅの形状を変更することもできる。図７及び１０に示すように、開口は端ぐりを有してもよい。図１４に示すように、開口は、打面の窪み内にまで延びないように変更してもよい。
【００４０】
図２３において、インサート１１０'は、フランジ１１５'を有し、インサート背面１１７'と窪みの底面１０６'の間にギャップ１３０が形成されるような寸法とする。ギャップ１３０及び開口１１４ｅ'は第２の振動減衰材料１１２ｂ'で充填する。クラブヘッド１００'は溝１１８'を有し、そのスペース１１８'内に第１の振動減衰材料１１２ａ'が配置される。他の実施形態では、ギャップ１３０を、開口１１４ｅ'に使用したものと異なる振動減衰材料で充填することも可能である。例えば、気泡ゴム又はその他の弾性材料をギャップに使用することができる。
【００４１】
図２４において、インサート１１０''は、図２０〜２２に示すものと同様のフランジ１１５''を有する。ただし、フランジ１１５''では、周方向に間隔をおいて複数のノッチ１３２が形成されている。図２５で、インサート１１０''がクラブヘッド１００''内に配置されたときに、ギャップ１３０が形成される。ノッチ１３２は、溝１１８'とギャップ１３０の間に通路を形成する。ノッチ１３２によって、ギャップからの第２の振動減衰材料１１２ｂ'が、溝内の第１の振動減衰材料１１２ａ'に連通し、その結果、振動減衰材料が、打面から背面部まで連続する。ノッチの大きさ及び形状は変更可能である
図２６において、インサート１１０'''は、間隔をおいた複数の第１の部分即ち突起１３４を有し、それらの間にスペース１１８'''が形成される。突起１３４は、プラットフォーム部１１６'''から半径方向外側に向かって延びている。突起１３４は前面１３６と同一面にない。インサートがクラブヘッドの窪み内に挿入されたとき、突起は、側壁面の一部、より具体的には傾斜側壁面部１０９（図２１に最もよく表されている）と接触する。突起１３４によって、インサートが窪み内で中心に配置される。インサートが窪み内に正確に配置されるためには、十分に多数の突起を設けるべきである。好ましくは４個である。
【００４２】
クラブヘッド内にインサートが配置されたとき、ギャップ１３０（図２３参照）が形成される。プラットフォーム部１１６'''は、打面内に周辺溝を形成する。第１の振動減衰材料は周辺溝内に配置される。突起１３４の間のスペース１３８は通路であって、これにより、ギャップ１３０からの第２の振動減衰材料と、溝内の第１の振動減衰材料とが連通して、これらが連続となる。突起１３４の大きさ及び形状は変更可能である。
【００４３】
図２４及び２６に示すインサートを、図２２に示すようにギャップ無しで使用することも可能である。これにより、窪み内の振動減衰材料の量を変えることができ、それによって、種々の減衰レベルを提供することができる。
【００４４】
クラブヘッド内の振動減衰材料の量は、種々の方法で変えることができる。例えば、開口の数や、振動減衰材料で充填する開口の数を変えることができる。更に、周辺溝の形状は、幅ｗ（図２０参照）を変更することによって、深さＤ（図２３参照）を変更することによって、フランジ即ち突起の形状を変更することによって、又は、ギャップの大きさを変更することによって、変えることができる。振動減衰材料の量を変えることが、クラブの感覚に影響を与え、それによって、特定のプレイヤー又は特定のグループのプレイヤーのニーズ、好み及び／又は動作に応じて、そのプレイヤーに合わせて、クラブヘッドを調製できるようになる。或るプレイヤー（例えばツアープレイヤー）が、より多くの金属同士の接触を好むならば、振動減衰材料の量を減らすことができる。例えば、或るグループの婦人、老人或いは年少者達が、より少ない金属同士の接触を好むならば、振動減衰材料の量を増やすことができる。このようにして、本発明のクラブヘッドは、一人或いは或るグループのプレイヤーを満足させるように、製造者がクラブヘッドに変更を加えることができる。これは好ましいことである。
【００４５】
図６及び１６において、インサート１１０、１１０'、１００''及び１１０'''に、据付け後に打面２２に隣接するインサートのフェースから延びるフランジ６８又は６８'のような第２のフランジを形成することもできる。この第２のフランジは、窪み４４及び４４'よりも大きいので、インサートが設置されたときに、第２のフランジが打面２２に隣接する。上述のように形成されたスペース内に振動減衰材料を挿入する前に、第２のフランジは、機械的切削によって取り去られる。
【００４６】
本発明によれば、図２６ａ及び２７において、ゴルフクラブ２１０は、シャフト２１２（図では一部分だけを示す）と、これに取り付けられたクラブヘッド２１４を有する。図２６ａにはパタータイプのクラブヘッドを示す。クラブヘッド２１４は、シャフト２１２を受容するホーゼル２１６を有し、クラブヘッド１４のホーゼル側端部にヒール２１８を有し、ヒール１８の反対側にトウ２２０を有する。クラブヘッド２１４は更に、ソール部２２６と、反対側のトップ部２２８とを有する。ヒール２１８とトウ２２０との間には打面２２２が延びていて、この打面２２２は、ゴルフクラブ２１０とゴルフボール（図示せず）の間のインパクトのときにゴルフボールと接触する面である。打面２２２は、「スイートスポット」即ちトウからヒール方向の重心を有し、これはインサート２２４で覆われている。インサート２２４は、クラブヘッドの他の部分とは異なる材料からできている。好ましい実施形態では、インサートはテルル銅合金からできている。この合金は比較的柔らかい合金であって、クラブのタッチと感覚が改善される。好ましい実施形態では、テルル銅合金は、最小で９９．４％の銅と、最大で０．００４〜０．０１２ｐｐｍのリンと、最大で０．４〜０．７ｐｐｍのテルルを有し、約８０ＨＢの硬さを有する。後述のように、振動減衰材料２４６がインサートを取り囲んでいる。
【００４７】
図２８において、打面２２２は窪み２３０を形成し、この窪み２３０は、底面２３２と、この底面２３２を取り囲む側壁面２３４とを有する。側壁面３４は、複数の部分２３６〜２４０を有する。水平側壁部２３６の対は、互いにほぼ平行であって、一般的に水平である。鉛直側壁部２３８の対は、互いにほぼ平行であって、一般的に鉛直である。４個のコーナ側壁部２４０は、水平側壁部と鉛直側壁部との間にあってそれらと隣接して延び、傾斜面を形成している。
【００４８】
図２７に示すように、クラブヘッド２１４は、基本的に平坦な背面部２４２を有し、背面部２４２は、部分的にヒール２１８とトウ２２０の間に、且つ、部分的にトップ部２２８とソール部２２６の間に延びている。背面部２４２は、複数の開口２４４を有し、開口２４４は、好ましくは互いに等間隔に配置されている。開口も、背面部２４２の輪郭に沿っており、打面２２２（図２６ａ参照）にほぼ垂直である。
【００４９】
図２８において、開口２４４は、背面２４２からインサート２２４に向かって延びている。好ましくは６個以上の開口を使用し、更に好ましくは２１個以上の開口があり、最も好ましくは３２個の開口がある。弾性材料等の変形可能な振動減衰材料２４６が、各開口２４４内に配置されている。後述の好ましい実施形態では、前記弾性材料は、ニューヨーク州ウォータフォード市のゼネラルエレクトリック社(General Electric Company)から入手可能なストック番号GE281というシリコーン材料である。
【００５０】
図２８において、一体的に形成されたインサート２２４は、第１の部分即ち複数の突起２４８と、第２の部分即ちプラットフォーム部２５０とを有する。突起２４８は、プラットフォーム部２５０から離れた位置でプラットフォーム部２５０から半径方向外側に向かって延びている。複数の突起２４８の間には複数のスペース２５１が形成されている。インサート２２４は更に、背面２５２を有する。各突起２４８は、プラットフォーム部２５０の前面２５５から離れた位置に前面２５３を有する。突起２４８は、窪み２３０内に適合する大きさになっている。インサート２２４が窪み２３０内に挿入されたとき、背面２５２は、窪み２３０の底面２３２と接触している。
【００５１】
更に、突起２４８は、底面２３２及び側壁面部２３６〜２４０と隣接してこれらと接触するように配置される。設置状態で、プラットフォーム部２５０は外側周辺端を有し、その外側周辺端は側壁面の少なくとも一部から離れた位置にあって、プラットフォーム部５０と側壁面２３６〜２４０の間に、周辺溝２５４（図２８〜３０に示す）を形成する。突起２４８によって、インサートが窪み内の中心に置かれる。周辺溝２５４は、インサートのプラットフォーム部２５０を取り囲む。溝は、図２６ａの矢印ｗで示す幅を有する。
【００５２】
図２７〜２９において、開口２４４ａ〜２４４ｅは締結具２５８ａ〜２５８ｅを受容する。最も外側の開口２４４ａ〜２４４ｄは、補完する端ぐり孔を有する。開口２４４ｅは中央締結具２４４ｅを受容する中央開口である。インサート背面２５２は、５個のねじ付き孔２６０ａ〜２６０ｅ（想像線で示す）を有し、ねじ付き孔２６０ａ〜２６０ｅは、クラブヘッド２１０の開口２４４ａ〜２４４ｅと補完する形状である。５本の締結具２５８ａ〜２５８ｅはインサートの孔２６０ａ〜２６０ｅ内に締め込まれる。締結具２５８ａ〜２５８ｅはインサート２２４をクラブヘッドに結合する。前述のように、締結具は、機械切削中に使用される。
【００５３】
図２９において、開口の一番上の列を２４４ｆとする。インサート２４４が窪み２３０内に置かれたとき、突起２４８の間の、開口即ちスペース２５１は、それが、開口の一番上の列２４４ｆと部分的に並ぶように配置される。その結果、図２９Ａに最もよく示すように、クラブヘッド内に振動減衰材料が配置される前に、クラブヘッドの前面から、溝２５４内に、開口の一番上の列２４４ｆの一部が見えている。開口のその部分（想像線で示す）は、インサートのプラットフォーム部２５０で覆われる。
【００５４】
図２９、２９ａ及び３０に示すように、振動減衰材料が溝２５４及び開口２４４内に配置されたとき、スペース２５１が通路を提供して、これにより、溝２５４内の弾性材料が、開口２４４内の弾性材料と流体的に連通する。このようにして、振動減衰材料が、打面２２２から背面部２４２まで連続する。
【００５５】
図２８及び３０において、やはりインサート２２４が窪み２３０内にあるとき、突起２４８の前面２５３は、打面２２２から離れた位置にあり、プラットフォーム部２５０の前面２５５が打面２２２の一部をなす。その結果、インサート内の通路は、打面２２２から離れた位置にある。
【００５６】
この実施形態では、開口の一番上の列は、突起の間のスペースと並ぶ位置にある。他の実施形態では、インサートは、例えば、開口の一番上及び一番下の列が、突起の間の関連するスペースと部分的又は全面的に並ぶ位置にある。
【００５７】
インサートとクラブヘッドの間の接触は、インサートと窪み面の間の金属同士の接触を生じさせる。開口２４４の大きさと、開口の中にある弾性材料２４６の量と、溝とスペースの組合せとによって、インサート２２４と窪み面の間の金属同士の接触の量を減らすことになる。従って、パターの「タッチと感覚」は、金属同士の接触の量を変えることによって、インサートの周りに配置される弾性材料の量を比例的に変えることによって、変更することができる。
【００５８】
図３１において、インサート３２４は、第１の部分即ちフランジ３４８を有するように変更されている。フランジ１４８は、プラットフォーム部３５０から半径方向外側に向かって延びている。フランジは、図３２に示すクラブヘッド３１０の窪み３３０内に適合する大きさになっている。このクラブヘッドは、前述のクラブヘッドと同様のものである。インサート３２４は、前述のように、クラブヘッド内に締め込まれる。
【００５９】
図３１において、フランジ３４８には、上部のノッチ即ち通路３５１ａと、下部のノッチ即ち通路３５１ｂが形成されている。図３２において、ノッチ３５１ａ及び３５１ｂは、インサート３２４が窪み３０内に配置されたときに、開口の一番上及び一番下の列の中の中央の２個の開口３４４ｆが、ノッチ３５１ａ及び３５１ｂと完全に重なる(aligned)ような大きさになっている。
図３３に示すように、ノッチ３５１ａ及び３５１ｂを孔３４４ｆと完全に重ねることによって、溝３５４内の振動減衰材料は、開口内の振動減衰材料と流体的に連通し、振動減衰材料は、打面３２２から背面部３４２まで連続になる。
【００６０】
この実施形態では、開口３５１ａ及び３５１ｂを形成するインサートの部分は、窪みの底面３３２と接触しない。インサート３２４の背面３５２の残りの部分は、窪みの底部と接触している。インサートと窪み面の間の金属同士の接触は、振動減衰材料を使用することによって減少する。
【００６１】
他の実施形態では、ノッチが、クラブヘッド内の種々の開口と部分的に重なり合うような構成としてもよい。更に、必要な通路を確保しつつ、ノッチの形状、位置及び数を変えることも可能である。
【００６２】
図３１Ａにおいて、インサート３２４'は図３１に示すインサート３２４と類似しており、類似の部分には同じ符号にプライム（'）を付して表す。インサート３２４'は、フランジ３４８'を有するように変更されている。フランジ３４８'は、プラットフォーム部３５０'から半径方向外側に向かって延びている。フランジは、図３２Ａに示すように、クラブヘッド１０の窪み３３０内に適合するような大きさになっている。このクラブヘッドは前述のクラブヘッドと同様のものである。インサート３２４'は、前述のものと同様に、クラブヘッド内に締め込まれる。
【００６３】
図３１Ａにおいて、フランジ３４８'には、各１対の上部及び下部のノッチ即ち通路３５１ａ'及び３５１ｂ'が形成されている。図３２Ａにおいて、ノッチ３５１ａ'及び３５１ｂ'は、インサート３２４'が窪み３３０内に置かれたときに、トウ側の１対の開口３４４ｆ'とヒール側の１対の開口３４４ｆ'とがそれぞれのノッチ３５１ａ'及び３５１ｂ'と完全に並ぶような大きさになっている。この実施形態によれば、インサート３２４'が、窪みの底部と、スイートスポットの上で金属同士の接触をし、トウからヒールに向かってより多くの振動減衰が実現される。従って、中央を外れたヒットにはより多くの減衰が与えられる。
【００６４】
図３４Ａで、インサート４２４は変更されて、第１の部分即ちフランジ４４８を有する。フランジ４４８は、プラットフォーム部４５０から半径方向外側に向かって延びている。フランジは、図３４に示すクラブヘッド３１０の窪み４３０の中に適合する大きさである。フランジ４４８には、各１対の上部開口４５１ａと下部開口４５１ｂが形成されている。
【００６５】
図３５及び３６において、インサート４２４の背面４５２は更に、複数のキャビティ４５２を有する。キャビティ４５２は、開口４４４と補完的に(complementary)並べられている。一部の開口４４４は、インサート４２４をクラブヘッドに固定するために、前述のように締結具を受け入れる。
【００６６】
図３５及び３６において、４個のキャビティ４５２ａが形成されていて、それらは、端ぐり部４５４と直径縮小部４５６とを有している。端ぐり部４５４は、インサート背面４５２から直径縮小部４５６まで延びている。端ぐり部４５４は、開口４５１ａ及び４５１ｂと、開口４５１ａ及び４５１ｂの間に延びる切取り部４５８と、キャビティ４５６の縮小部を形成するように構成されている。開口４５１ａを形成するキャビティと端ぐりは、開口４５１ａが、フランジの周辺に延びるノッチになるように配置される。開口４５１ｂを形成するキャビティと端ぐりは、開口４５１ｂが、フランジの周辺から離れた位置でフランジを通って延びるように配置される。
【００６７】
図３４、３４ａ及び３５において、インサート４２４が窪み４３０内に置かれたとき、キャビティ４５２ａは開口４４４と重なる位置にある。図３６に示すように、溝４５４から開口４４４に通じる通路が、各開口４５１ａ及び４５１ｂとこれらに関連する端ぐり４５４とによって形成されている。溝４５４、開口４５１ａ及び４５１ｂ、キャビティ４５２ａ及び開口４４４内に振動減衰材料４４６が配置される。開口４４４内の振動減衰材料４４６と振動減衰材料４４６は、打面４２２から背面部４４２まで連続している。
【００６８】
この実施形態では、端ぐりとキャビティを形成するインサートの部分は窪みの底面４３２から離れている。インサート４２４の残りの部分は、窪みの底面と金属同士の接触状態にある。インサートキャビティ４５２及び４５２ａによって、図２８及び３１に開示された実施形態に比べて、より顕著な振動減衰特性が得られる。インサート２２４及び３２４に比べてインサート４２４では、金属同士の接触の量が減るからである。これは、キャビティによって、インサート４２４の背面４５２内に延びる弾性材料４４６による。従って、弾性材料は、インサート４２４の背面の、より大きな面積を占める。
【００６９】
他の実施形態では、切取り部が異なる形状になるように、インサートの背面を変更することもできる。更に、必要な通路を確保しながら、開口とキャビティの位置や数を変更することもできる。
【００７０】
図３７において、インサート５２４は、図３４〜３６に示すインサート４２４と類似していて、図３４に示すクラブヘッドに使用するものである。インサート４２４と類似するインサート５２４の各部分の符号の初めの桁には、「４」の代わりに「５」を用いている。インサート５２４の背面５５２は更に、連続した通路５６０即ちマトリクスを有する。通路５６０は、インサートキャビティ５５２ａのそれぞれを結合する。通路は、インサート背面のランディング(landings)即ち領域５５８が通路の各部分の間に残るように、従来技術を用いて形成される。この実施形態で、通路５６０の深さはキャビティ５５２ａの深さと等しくない。それにより、通路が形成された後に複数のキャビティ５５２ａが残る。
【００７１】
インサート５２４は、図３４Ａに示すものと同様であって、インサートはフランジとプラットフォーム部とを有する。端ぐり部５５４はフランジの開口５５１ａ及び５５１ｂを形成する。このインサート５２４は、前述のように、クラブヘッド内に締め込まれる。
【００７２】
図３４、３６及び３７において、インサート５２４がクラブヘッド内に置かれた後に、溝４５４から開口４４４に至る通路が、フランジ内の開口５５１ａ及び端ぐりを有する関連キャビティ５５２ａによって形成される。振動減衰材料４４６が、溝４５４、フランジの開口５５１ａ、キャビティ５５２ａ及び開口４４４の中に配置される。振動減衰材料４４６は、打面４２２から背面部４４２まで連続している。
【００７３】
この実施形態では、端ぐり及びキャビティを形成するインサートの部分は、窪みの底面から離れている。インサート５２４の残りの部分（即ち、ランディング５５８及び、背面５５２の残りの領域）は窪みの底面と接触している。これは金属同士の接触である。連続的な通路５６０によって、図３５に開示された実施形態に比べて、より顕著な振動減衰性能が得られる。インサート４２４を使う場合に比べて、インサート５２４を使うことにより、金属同士の接触の量が減るからである。
【００７４】
他の実施形態として、キャビティが異なる形状を有するか、且つ／又は通路が異なる配置のキャビティに結合するように、インサートの背面を修正することも可能である。更に、必要な通路を確保しつつ、開口及びキャビティの位置や数を変えることもできる。更に、異なる線や形状を背面通路によって形成するように、キャビティを通じて通路を連続にすることもできる。
【００７５】
図３８において、インサート６２４は、図３４に示すクラブヘッドと同様のクラブヘッドと共に使用するものであって、図３１に示すのと同様のフランジ６４８を有する。しかし、フランジ６４８には、周方向に間隔をおいた複数のノッチ６５１が形成されている。しかし、インサート６２４の背面６５２は更に、互いに離れた位置で、背面６５２から延びる複数の突起６６０（想像線で示す）を有する。インサート６２４は、前述のように、クラブヘッド内に締め込まれる。
【００７６】
図３９及び４０において、インサート６３４が窪み６３０内に配置されたとき、突起６６０の自由端６６２は、窪み６３０の底面６３２と接触している背面の部分である。背面の残りの部分６６４は窪みの底部から離れていて、それらの間にギャップ６６６が形成される。ギャップ６６６内の振動減衰材料６４６は開口６４４内の振動減衰材料６４６と流体的に連通している。図４０において、ノッチ即ち開口６５１は、溝６５４とギャップ６６６及び開口６４４の間の通路を形成する。振動減衰材料６４６は、打面６２２から背面部６４２まで連続である。
【００７７】
この実施形態では、突起６６０が、インサートと窪み６３０との間の金属同士の接触を与える。インサート６２４を有するクラブヘッドは、突起を持たずインサートの背面と窪みの底部の間にギャップが形成された同様の構造のインサートを有するクラブヘッドに比べて、タッチと感覚が異なる。ギャップ６６６は、図２７〜３７に開示された実施形態に比べて、より顕著な振動減衰特性を示すかもしれない。ギャップを使うことによって、金属同士の接触の量が減るからである。
【００７８】
図４１において、インサート７２４は、図３４に示すのと同様のクラブヘッドに使用するものである。インサート７２４は、図２８に示すインサート２２４と類似している。しかし、各突起の背面部７２６が背面の残りの部分７２８から離れるように、突起７４８の厚さが増している。従って、突起背面部７２６は、残りの部分７２８から距離７３０だけ離れている。インサート７２４が図２６ａに開示されたのと同様のクラブヘッド内に配置されたとき、部分複数の７２６が、窪み２３０の底面２３２と接触する。背面の残りの部分７２８は窪みの底面から離れているので、それらの間に、ギャップ６６６（図３９及び４０参照）と同様な一つのギャップが形成される。ギャップ内の振動減衰材料６４６は、開口５４４内の振動減衰材料と、流体的に連通している。図４０と同様に、複数の突起７４８の間の複数のスペース７５１が、溝６５４とギャップ６６６と開口６４４の間の通路を形成する。振動減衰材料６４６は、打面６２２から背面部６４２まで連続している。
【００７９】
この実施形態では、突起７４８がインサートと窪み６３０の間の金属同士の接触を与える。インサート７２４を有するクラブヘッドは、突起を持たずにインサート背面と窪み底部の間にギャップを形成する前述の類似の構造のインサートを有するクラブヘッドとは、異なるタッチと感覚を与える。
【００８０】
他の実施形態として、インサート６２４及び７２４の背面が、異なる大きさ、位置及び形状のノッチを持つように変更することも可能である。更に、背面は、前述のように、キャビティや端ぐり部や通路を持つことも可能である。
【００８１】
他の実施形態として、ゴルフクラブヘッドの種々の部分に２種類以上の異なる振動減衰材料を充填することも可能である。例えば、気泡ゴム又は他の弾性材料を使用することもできる。
【００８２】
製造過程において、弾性材料をクラブヘッド内に導入するために、インサートと開口の構造に応じて、弾性材料が開口内に注入されるが、これは背面部から打面に流れることができる。構造によっては、材料が背面部から打面まで連続するように、材料を溝と開口に注入することが必要かもしれない。余分なシリコーンを取り除くために、背面部と打面全体をスクイージで擦り、各開口及び溝内にシリコーンを残す。
【００８３】
図２７〜４０に示すクラブヘッド内の振動減衰材料の量は、種々の方法で変えることができる。例えば、開口の数、或いは振動減衰材料で充填する開口の数を変えることができる。更に、幅ｗ（図２６ａ参照）を変えることにより、厚さＤ（図３０参照）を変えることにより、フランジ又は突起の形状を変えることにより、又は、ギャップの大きさを変えることにより、周辺溝の形状を変えることができる。
【００８４】
上述のように、振動減衰材料の量を変えることにより、クラブヘッドの感覚に影響を与え、特定のプレイヤー又は特定のグループのプレイヤーのニーズ、好み及び／又は動作に応じて、そのプレイヤーに合わせて、クラブヘッドを調製できるようになる。或るプレイヤー（例えばツアープレイヤー）が、より多くの金属同士の接触を好むならば、振動減衰材料の量を減らすことができる。例えば、或るグループの婦人、老人或いは年少者達が、より少ない金属同士の接触を好むならば、振動減衰材料の量を増やすことができる。このようにして、本発明のクラブヘッドは、一人或いは或るグループのプレイヤーを満足させるように、製造者がクラブヘッドに変更を加えることができる。これは好ましいことである。
【図面の簡単な説明】
【図１】  本発明のゴルフクラブヘッドの前面斜視図であって、インサートが打面上に配置された状態を示す。
【図２】  本発明のゴルフクラブヘッドの背面図であって、複数の開口がクラブヘッドの背面上に間隔をあけて配置された状態を示す。
【図３】  図２の３−３線矢視断面図であって、開口に弾性材料を充填した状態を示す。
【図４】  図２の４−４線矢視断面図であって、背面を貫通してインサートへ延びる締結具を示す。
【図５】  本発明のゴルフクラブの展開した前面斜視図であって、組立て前のクラブヘッドを示す。
【図６】  図３と類似の断面図であって、インサートがクラブヘッドの打面側に配置された、最終機械切削工程前の状態を示す。
【図７】  図３と類似の断面図であって、本発明のゴルフクラブヘッドの他の実施形態を示す。
【図８】  図３と類似の断面図であって、本発明のゴルフクラブヘッドの他の実施形態を示す。
【図９】  図８の実施形態の前面展開斜視図であって、組立て前のゴルフクラブヘッドを示す。
【図１０】  図３と類似の断面図であって、本発明のゴルフクラブヘッドの他の実施形態を示す。
【図１１】  図１０の実施形態の前面展開斜視図であって、組立て前のゴルフクラブヘッドを示す。
【図１２】  図１１の１２−１２線から見た立面図であって、インサートの背面を示す。
【図１３】  図１０の１３−１３線から見た立面図であって、弾性材料および締結具を取り去った状態のクラブヘッド背面を示す。
【図１４】  図３と類似の断面図であって、本発明のゴルフクラブヘッドの他の実施形態を示す。
【図１５】  図３と類似の断面図であって、本発明のゴルフクラブヘッドの他の実施形態を示す。
【図１６】  図６と類似の断面図であって、インサートクラブヘッドが打面側に配置された、最終機械切削工程前の状態を示す。
【図１７】  本発明のゴルフクラブヘッドの他の実施形態の前面斜視図であって、アイアンタイプのクラブの打面の上にインサートが配置された状態を示す。
【図１８】  図１７に示すゴルフクラブヘッドの背面図であって、複数の開口がクラブヘッドの背面上に間隔をあけて配置された状態を示す。
【図１９】  図１８の１９−１９線矢視断面図であって、複数の開口が弾性材料で充填された状態を示す。
【図２０】  本発明のゴルフクラブヘッドの他の実施形態の前面斜視図であって、インサートが、打面上で周りに弾性材料を配して配置された状態を示す。
【図２１】  組立て前における、図２０ゴルフクラブヘッドの前面展開斜視図である。
【図２２】  図２０の２２−２２線矢視断面図であって、一つのスペースと複数の開口が弾性材料で充填された状態を示す。
【図２３】  図２２に類似の断面図であって、インサートが、一つのギャップと、一つのスペースと、複数の開口を形成し、それらが弾性材料で充填されている状態を示す。
【図２４】  図２０及び図２１に示すクラブヘッドで使用されるインサートの他の実施形態の拡大斜視図である。
【図２５】  図２４の２５−２５線矢視断面図であって、図２４のインサートが組み立てられた状態を示す。
【図２６】  図２０及び図２１に示すクラブヘッドで使用されるインサートの他の実施形態の拡大斜視図である。
【図２６ａ】  本発明のゴルフクラブヘッドの他の実施形態の前面斜視図であって、インサートが、打面上で周りに振動減衰材料を配して配置された状態を示す。
【図２７】  図２６ａのゴルフクラブヘッドの背面図であって、クラブヘッドの背面上に間隔をあけて配置された複数の開口の中に振動減衰材料が入った状態を示す。
【図２８】  図２６ａに示すゴルフクラブヘッドの前面展開斜視図であって、クラブヘッドが組み立てられていない状態で、図２６に示すインサートと共に示す。
【図２９】  図２８のクラブヘッドの正面図であって、組立て後であるが、内部に振動減衰材料を注入する前の状態を示す。
【図２９Ａ】  図２９の円２９Ａ内のクラブヘッドの部分の拡大部分正面図である。
【図３０】  図２９の３０−３０線矢視断面図であって、ゴルフクラブヘッドに振動減衰材料が入れられた状態を示す。
【図３１】  本発明のクラブヘッドに使用されるインサートの他の実施形態の前面拡大斜視図である。
【図３２】  クラブヘッドの中に図３１のインサートを入れた状態の正面図であって、組立て後で、振動減衰材料をその中に注入する前の状態を示す。
【図３１Ａ】  本発明のクラブヘッドに使用されるインサートの他の実施形態の前面拡大斜視図である。
【図３２Ａ】  クラブヘッドの中に図３１Ａのインサートを入れた状態の正面図であって、組立て後で、振動減衰材料をその中に注入する前の状態を示す。
【図３３】  図３２の３３−３３線矢視断面図であって、ゴルフクラブヘッドに振動減衰材料が入れられた状態を示す。
【図３４】  インサートを取り去った状態のゴルフクラブの拡大正面図である。
【図３４Ａ】  図３４に示すクラブヘッドに使用されるインサートの他の実施形態の拡大正面図である。
【図３５】  図３４Ａに示すインサートの拡大背面図である。
【図３６】  図３４Ａの３６−３６線矢視断面図であって、ゴルフクラブヘッドに図３４〜３５のインサートと振動減衰材料を入れた状態を示す。
【図３７】  図３４に示すクラブヘッドに使用されるインサートの他の実施形態の拡大背面図である。
【図３８】  図２６ａ及び２７〜２９に示すクラブヘッドで使用されるインサートの他の実施形態の拡大斜視図である。
【図３９】  図３８の３９−３９線矢視断面図であって、図３８のインサートがクラブヘッド内に組み込まれ、その中に振動減衰材料が入れられた状態を示す。
【図４０】  図３８の４０−４０線矢視断面図であって、図３８のインサートがクラブヘッド内に組み込まれ、その中に振動減衰材料が入れられた状態を示す。
【図４１】  図２６ａ及び２７〜２９に示すクラブヘッドで使用されるインサートの他の実施形態の前面拡大斜視図である。
【図１】
0004338319.tif 000002
【図２】
0004338319.tif 000003
【図３】
0004338319.tif 000004
【図４】
0004338319.tif 000005
【図５】
0004338319.tif 000006
【図６】
0004338319.tif 000007
【図７】
0004338319.tif 000008
【図８】
0004338319.tif 000009
【図９】
0004338319.tif 000010
【図１０】
0004338319.tif 000011
【図１１】
0004338319.tif 000012
【図１２】
0004338319.tif 000013
【図１３】
0004338319.tif 000014
【図１４】
0004338319.tif 000015
【図１５】
0004338319.tif 000016
【図１６】
0004338319.tif 000017
【図１７】
0004338319.tif 000018
【図１８】
0004338319.tif 000019
【図１９】
0004338319.tif 000020
【図２０】
0004338319.tif 000021
【図２１】
0004338319.tif 000022
【図２２】
0004338319.tif 000023
【図２３】
0004338319.tif 000024
【図２４】
0004338319.tif 000025
【図２５】
0004338319.tif 000026
【図２６】
0004338319.tif 000027
【図２６ａ】
0004338319.tif 000028
【図２７】
0004338319.tif 000029
【図２８】
0004338319.tif 000030
【図２９】
0004338319.tif 000031
【図２９ａ】
0004338319.tif 000032
【図３０】
0004338319.tif 000033
【図３１】
0004338319.tif 000034
【図３２】
0004338319.tif 000035
【図３１ａ】
0004338319.tif 000036
【図３２ａ】
0004338319.tif 000037
【図３３】
0004338319.tif 000038
【図３４】
0004338319.tif 000039
【図３４ａ】
0004338319.tif 000040
【図３５】
0004338319.tif 000041
【図３７】
0004338319.tif 000042
【図３６】
0004338319.tif 000043
【図３８】
0004338319.tif 000044
【図３９】
0004338319.tif 000045
【図４０】
0004338319.tif 000046
【図４１】
0004338319.tif 000047